(57)【要約】【課題】ホストに負荷をかけずに表示デバイスに時刻を表示することが可能な表示デバイスの表示制御を行うための集積回路装置を提供すること。【解決手段】本集積回路装置１０は、ローカルプロセッサ２０と、表示メモリ４０と、表示デバイスの表示制御を行う表示デバイス制御回路３０と、時刻用クロックを生成する時刻用クロック生成回路７０と、ホストとの信号のやり取りを制御するホストインターフェース回路５０と、を含み、ローカルプロセッサ２０は、時刻用クロック生成部７０が生成した時刻用クロックに基づき現在時刻を表示デバイスに表示するための時刻情報を表示用メモリに書き込む処理をおこない、前記ホストインターフェース回路５０は、ホストからの情報を受けとり表示メモリ４０に書き込む処理と、ホスト１００からの要求に応じて現在時刻をホストに渡す処理を行うことを特徴とする。【選択図】      図１
2007051972.tif 000002
【特許請求の範囲】
【請求項１】
ホストに接続され、表示デバイスの表示制御を行うための集積回路装置であって、
ローカルプロセッサと、
表示デバイスに出力するためのデータを記憶する表示メモリと、
表示メモリのデータに基づき表示デバイスの表示制御を行う表示デバイス制御回路と、
時刻用クロックを生成する時刻用クロック生成回路と、
ホストとの信号のやり取りを制御するホストインターフェース回路と、を含み
前記ローカルプロセッサは、
時刻用クロック生成部が生成した時刻用クロックに基づき時刻を表示デバイスに表示するための時刻情報を表示用メモリに書き込む処理をおこない、
前記ホストインターフェース回路は、
ホストからの情報を受けとり表示メモリに書き込む処理と、
ホストからの要求に応じて時刻情報をホストに渡す処理を行うことを特徴とする集積回路装置。
【請求項２】
請求項１において、
前記ホストインターフェース回路は、
ホストからの表示用信号を受けとり表示用メモリに書き込む処理を行うための表示インターフェース回路と、
ホストからの要求に応じて現在時刻をホストに渡す処理を行う時刻インターフェース回路とを、
含むことを特徴とする集積回路装置。
【請求項３】
請求項１乃至２のいずれかにおいて、
ローカルプロセッサ及びホストインターフェース回路からの表示メモリへの書き込み要求が競合した場合に、いずれか一方に対し表示メモリへの書き込みを許可し、他方に対しては一方の書き込みが終了するまで表示メモリへの書き込みを不許可とする調停処理を行うアクセスコントローラを含むことを特徴とする集積回路装置。
【請求項４】
請求項１乃至３のいずれかにおいて、
前記アクセスコントローラは、
表示メモリにホストからのデータの書き込みが行われているか否かの状態をしめす書き込みフラグとを有し、
表示メモリにホストからのデータの書き込みを行っている場合には、書き込みフラグを第１の状態にし、
前記ホストプロセッサは、
前記書き込みフラグが第１の状態であるか否か判断し、第１の状態である場合には、表示メモリへの書き込み処理をあとに回し、他の処理を行うように制御することを特徴とする集積回路装置。
【請求項５】
請求項１乃至４のいずれかにおいて、
前記アクセスコントローラは、
表示メモリに書き込むデータを一時的に保持するワークバッファを有し、
ローカルプロセッサからの書き込み要求とホストからの書き込み要求が競合した場合には、ホストからの書き込み要求を優先して受け付け、ローカルプロセッサからの書き込みデータを一旦ワークバッファに記憶させ、ホストからの書き込み要求に対応した書き込み処理が終了したのち、ワークバッファに書き込まれたデータを表示メモリに書き込む処理を行い、
すでにローカルプロセッサが表示メモリへの書き込みを行っている場合にホストからの書き込み要求を受けた場合には、ホストからの書き込みデータを一旦ワークバッファに記憶させ、ローカルプロセッサの書き込み処理が終了したのち、ワークバッファに書き込まれたデータを表示メモリに書き込む処理を行うことを特徴とする集積回路装置。
【請求項６】
請求項１乃至５のいずれかにおいて、
アクセスコントローラは、
表示メモリのローカル表示領域に対応した領域については、ホストからの書き込みを禁止、またはローカルプロセッサから書き込みを優先する処理を行うことを特徴とする集積回路装置。
【請求項７】
請求項１乃至６のいずれかにおいて、
電波時計とのインターフェース回路をさらに含み、
前記ローカルプロセッサは、
所定のタイミングで電波時計インターフェース回路を介して電波時計時刻を取得し、電波時計時刻に基づき内部時計時刻を補正することを特徴とする集積回路装置。
【請求項８】
請求項１乃至６のいずれかにおいて、
前記ローカルプロセッサは、
所定のタイミングでホストインターフェース回路を介して基準時刻を取得し、基準時刻に基づき内部時計時刻を補正することを特徴とする集積回路装置。
【請求項９】
請求項１乃至８のいずれかにおいて、
温度センサからの検出信号を受信し、温度値を出力する温度用ＲＦコンバータを含み、
前記ローカルプロセッサは、
温度値に基づき所与の処理を行うことを特徴とする集積回路装置。
【請求項１０】
請求項１乃至９のいずれかにおいて、
湿度センサからの検出信号を受信し、湿度値を出力する湿度用ＲＦコンバータを含み、
前記ローカルプロセッサは、
湿度値に基づき所与の処理を行うことを特徴とする集積回路装置。
【請求項１１】
請求項１乃至１０のいずれかにおいて、
加速度センサからの検出信号を受信し、加速度値を出力する加速度用ＡＤコンバータを含み、
前記ローカルプロセッサは、
加速度値に基づき所与の処理を行うことを特徴とする集積回路装置。
【請求項１２】
請求項１乃至１１のいずれかにおいて、
角速度センサからの検出信号を受信し、角速度値を出力する角速度用ＡＤコンバータを含み、
前記ローカルプロセッサは、
角速度値に基づき所与の処理を行うことを特徴とする集積回路装置。
【請求項１３】
請求項１乃至１２のいずれかに記載の集積回路装置を含むことを特徴とする表示制御装置。
【発明の詳細な説明】
【技術分野】
【０００１】
本発明は、
集積回路装置及び表示制御装置、特にホストに接続され、表示デバイスの表示制御を行うための集積回路装置及び表示制御装置に関する。
【背景技術】
【０００２】
携帯電話の背面パネルはＬＣＤコントローラ（ＭＧＥ）もしくはアプリケーションプロセッサの制御のもとに背面パネルドライバが駆動していた。
【０００３】
ここで背面パネルドライバは、自ら情報処理を行うようなデバイスではなく、計時、計測機能はアプリプロセッサもしくはベースバンドエンジンなどのホストプロセッサ側に任されていた。
【特許文献１】特開平８−１１４６８３号
【発明の開示】
【発明が解決しようとする課題】
【０００４】
しかし、連続的かつリアルタイム性を有する計時計測機能をホスト側で行う場合、動作に大きなエネルギーを要するホストを動作させつづけることになるため、例えば計時であれば１分単位の時計は実現できても、秒単位の時計を実現しようとすると、ホストの付加が高くなり過ぎるため困難であるという問題点があった。
【０００５】
さらに１０００分の１秒最大１２時間ストップウオッチ等の実現には消費電力的なペナルティーが存在して実現困難であった。
【０００６】
本発明は、以上のような技術的課題に鑑みてなされたものであり、その目的とするところは、ホストに負荷をかけずに表示デバイスに時刻を表示することが可能な表示デバイスの表示制御を行うための集積回路装置を提供することである。
【課題を解決するための手段】
【０００７】
（１）本発明は、
ホストに接続され、表示デバイスの表示制御を行うための集積回路装置であって、
ローカルプロセッサと、
表示デバイスに出力するためのデータを記憶する表示メモリと、
表示メモリのデータに基づき表示デバイスの表示制御を行う表示デバイス制御回路と、
時刻用クロックを生成する時刻用クロック生成回路と、
ホストとの信号のやり取りを制御するホストインターフェース回路と、を含み
前記ローカルプロセッサは、
時刻用クロック生成部が生成した時刻用クロックに基づき時刻を表示デバイスに表示するための時刻情報を表示用メモリに書き込む処理をおこない、
前記ホストインターフェース回路は、
ホストからの情報を受けとり表示メモリに書き込む処理と、
ホストからの要求に応じて時刻情報をホストに渡す処理を行うことを特徴とする。
【０００８】
ホストに接続され、表示デバイスの表示制御を行うための集積回路装置とは、表示デバイス制御回路（例えばＬＣＤコントローラ）を含むＩＣであり、例えば携帯電話の背面パネルの制御を中心とした８ビットマイクロコントローラ等でもよい。
【０００９】
ここでホストとは例えば、携帯電話等の主制御を行うアプリプロセッサもしくはベースバンドエンジンなどでもよい。
【００１０】
時刻用クロックを生成する時刻用クロック生成回路とは、リアルタイムクロックやクロックタイマー及び発信器やオシュレータ等で構成することができる。
【００１１】
時刻とは現在時刻でもよいし、基準時に対する相対的な時間でもよい。
【００１２】
本発明によれば時刻用クロック生成回路（ＲＴＣ等）の生成する時刻用クロックを用いて集積回路装置自ら表示用の時刻更新処理を行うので、ホストに負荷をかけずに表示デバイスに時刻を表示することが可能な表示デバイスの表示制御を行うための集積回路装置を提供することである。
【００１３】
そしてホストに負担をかけないので、秒単位の現在時刻の表示も可能となる。
【００１４】
またＲＴＣとしてホストに現在時刻を提供することも可能である。
【００１５】
またホストインターフェースを介してコマンドやデータを受け取ることでホスト指示のデータの表示の可能である。
【００１６】
（２）本発明の集積回路装置は、
前記ホストインターフェース回路は、
ホストからの表示用信号を受けとり表示用メモリに書き込む処理を行うための表示インターフェース回路と、
ホストからの要求に応じて現在時刻をホストに渡す処理を行う時刻インターフェース回路とを、
含むことを特徴とする。
【００１７】
このようにすると表示インターフェース回路と、時刻インターフェース回路とが物理的に別個に設けられているので、ホスト側からみれば従来のように表示用ドライバ内蔵チップとＲＴＣ内蔵チップと別々にインターフェースしていたときと同じ使い勝手で使用することができる。
【００１８】
（３）本発明の集積回路装置は、
ローカルプロセッサ及びホストインターフェース回路からの表示メモリへの書き込み要求が競合した場合に、いずれか一方に対し表示メモリへの書き込みを許可し、他方に対しては一方の書き込みが終了するまで表示メモリへの書き込みを不許可とする調停処理を行うアクセスコントローラを含むことを特徴とする。
【００１９】
表示メモリに対しては、ホスト、ローカルプロセッサ、表示デバイス制御回路からのアクセスがあり、アクセスコントローラはこれらからのアクセスを調停する処理を行う。
【００２０】
そしてローカルプロセッサ及びホストインターフェース回路からの表示メモリへの書き込み要求が競合した場合に、ホストからのアクセスを優先するようにアクセスの調停を行う。従ってホストにたいして待たせることなく表示処理を行うことができる。
【００２１】
（４）本発明の集積回路装置は、
前記アクセスコントローラは、
表示メモリにホストからのデータの書き込みが行われているか否かの状態をしめす書き込みフラグとを有し、
表示メモリにホストからのデータの書き込みを行っている場合には、書き込みフラグを第１の状態にし、
前記ホストプロセッサは、
前記書き込みフラグが第１の状態であるか否か判断し、第１の状態である場合には、表示メモリへの書き込み処理をあとに回し、他の処理を行うように制御することを特徴とする。
【００２２】
本発明によれば、ローカルプロセッサは書き込みフラグをみて、ホストが書き込み中である場合には表示メモリへの書き込み処理をあとに回し、他の処理を行うように制御するので、ローカルプロセッサも待ち時間を活用して効率よく処理を行う事ができる。
【００２３】
（５）本発明の集積回路装置は、
前記アクセスコントローラは、
表示メモリに書き込むデータを一時的に保持するワークバッファを有し、
ローカルプロセッサからの書き込み要求とホストからの書き込み要求が競合した場合には、ホストからの書き込み要求を優先して受け付け、ローカルプロセッサからの書き込みデータを一旦ワークバッファに記憶させ、ホストからの書き込み要求に対応した書き込み処理が終了したのち、ワークバッファに書き込まれたデータを表示メモリに書き込む処理を行い、
すでにローカルプロセッサが表示メモリへの書き込みを行っている場合にホストからの書き込み要求を受けた場合には、ホストからの書き込みデータを一旦ワークバッファに記憶させ、ローカルプロセッサの書き込み処理が終了したのち、ワークバッファに書き込まれたデータを表示メモリに書き込む処理を行うことを特徴とする。
【００２４】
本発明によればローカルプロセッサからの書き込み要求とホストからの書き込み要求が競合して、いずれか一方が表示メモリに書き込めない場合も当該一方のデータをワークバッファに保存して、表意メモリへの他方の書き込みが終了したのち、ワークバッファに保存されている一方のデータを表示メモリに書き込む。
【００２５】
従って表示メモリに書き込めないほうも、他方の書き込みが終わるまで待たずに、次の処理に移ることができる。
【００２６】
（６）本発明の集積回路装置は、
アクセスコントローラは、
表示メモリのローカル表示領域に対応した領域については、ホストからの書き込みを禁止、またはローカルプロセッサから書き込みを優先する処理を行うことを特徴とする。
【００２７】
（７）本発明の集積回路装置は、
電波時計とのインターフェース回路をさらに含み、
前記ローカルプロセッサは、
所定のタイミングで電波時計インターフェース回路を介して電波時計時刻を取得し、電波時計時刻に基づき内部時計時刻を補正することを特徴とする。
【００２８】
（８）本発明の集積回路装置は、
前記ローカルプロセッサは、
所定のタイミングでホストインターフェース回路を介して基準時刻を取得し、基準時刻に基づき内部時計時刻を補正することを特徴とする。
【００２９】
（９）本発明の集積回路装置は、
温度センサからの検出信号を受信し、温度値を出力する温度用ＲＦコンバータを含み、
前記ローカルプロセッサは、
温度値に基づき所与の処理を行うことを特徴とする。
【００３０】
所与の処理とは温度データを用いる処理であれば何でもよく、温度データを表示デバイスに表示する処理でもよいし、温度データをホストに提供する処理でもよいし、温度データに基づき所与の解析処理（例えば天気予報）を行う場合でもよい。
【００３１】
（１０）本発明の集積回路装置は、
湿度センサからの検出信号を受信し、湿度値を出力する湿度用ＲＦコンバータを含み、
前記ローカルプロセッサは、
湿度値に基づき所与の処理を行うことを特徴とする。
【００３２】
所与の処理とは湿度データを用いる処理であれば何でもよく、湿度データを表示デバイスに表示する処理でもよいし、湿度データをホストに提供する処理でもよいし、湿度データに基づき所与の解析処理（例えば不快指数表示）を行う場合でもよい。
【００３３】
（１１）本発明の集積回路装置は、
加速度センサからの検出信号を受信し、加速度値を出力する加速度用ＡＤコンバータを含み、
前記ローカルプロセッサは、
加速度値に基づき所与の処理を行うことを特徴とする。
【００３４】
所与の処理とは加速度データを用いる処理であれば何でもよく、加速度データを表示デバイスに表示する処理でもよいし、加速度データをホストに提供する処理でもよいし、加速度データに基づき所与の解析処理（例えば運動量や歩数の計測）を行う場合でもよい。
【００３５】
（１２）本発明の集積回路装置は、
角速度センサからの検出信号を受信し、角速度値を出力する角速度用ＡＤコンバータを含み、
前記ローカルプロセッサは、
角速度値に基づき所与の処理を行うことを特徴とする。
【００３６】
所与の処理とは角速度データを用いる処理であれば何でもよく、角速度データを表示デバイスに表示する処理でもよいし、角速度データをホストに提供する処理でもよいし、角速度データに基づき所与の解析処理（例えば運動量や歩数の計測やぶれの計算や補正）を行う場合でもよい。
【００３７】
(１３)上記のいずれかに記載の集積回路装置を含むことを特徴とする表示制御装置である。
【００３８】
本発明の表示制御装置を用いて携帯電話の背面パネルの制御を行うようにしてもよい。
【発明を実施するための最良の形態】
【００３９】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００４０】
図１は、本実施の形態の集積回路装置の構成を説明するための図である。なお、本実施形態の集積回路装置１０は、図１の構成要素（各部）を全て含む必要はなく、その一部を省略した構成としてもよい。
【００４１】
本実施の形態の集積回路装置１０は、ホスト１００に接続され、表示デバイスの表示制御を行うための集積回路装置であり、例えば携帯電話の背面パネルの制御を中心とした８ビットマイクロコントローラ等でもよい。
【００４２】
ここでホスト１０とは例えば、携帯電話等の主制御を行うアプリプロセッサもしくはベースバンドエンジンなどでもよい。
【００４３】
本実施の形態の集積回路装置１０は、ローカルプロセッサ２０、表示デバイス制御回路３０，表示メモリ４０、ホストインターフェース回路５０、アクセスコントローラ６０、時刻用クロック生成回路７０、電波時計インターフェース回路７２、ＲＯＭ８０，ＲＡＭ８２、温度用抵抗周波数変更型Ａ／Ｄコンバータ９０、湿度用抵抗周波数変更型Ａ／Ｄコンバータ９２、加速度用Ａ／Ｄコンバータ９４、角速度用Ａ／Ｄコンバータ９６を含む。
【００４４】
ローカルプロセッサ２０は、例えばＭＣＵ等であり、時刻用クロック生成部７０が生成した時刻用クロックに基づき内部時計の時刻を更新し内部時計の時刻を表示デバイス１１０に表示するための時刻情報を表示用メモリ４０に書き込む処理をおこなう
表示デバイス制御回路３０は、表示メモリのデータに基づき表示デバイス（例えばＬＣＤ）１１０の表示制御を行うもので、例えばＬＣＤコントローラ等である。表示デバイス制御回路３０は、自律的に表示メモリ４０をスキャンし、表示をつづける。
【００４５】
表示メモリ４０は、表示デバイスに出力するためのデータを記憶する表示メモリであり、ＲＡＭ、ビデオＲＡＭ、ＤＲＡＭ、ＳＲＡＭ等で実現できる。
【００４６】
ホストインターフェース回路５０は、ホストとの信号１０２のやり取りを制御するもので、ホスト１００からの情報を受けとり表示メモリ４０に書き込む処理と、ホスト１００からの要求に応じて内部時計の時刻情報をホスト１００に渡す処理を行う。ホストインターフェース回路５０は、シリアルインタフェースでもよいしパラレルインターフェースでもよい。
【００４７】
時刻用クロック生成回路７０は、時刻用クロックを生成する機能を有するもので、例えばリアルタイムクロックやクロックタイマー、及び発信器やオシュレータ等で構成される。時刻用クロック生成回路７０は、外部クリスタル１２０例えばからの３２．７６５ＫＨｚのクロックをうけて内部時計の時刻を更新する。
【００４８】
電波時計インターフェース回路７２は、例えばアンテナ１３４を介して外部の電波時計（ＲＣＣ）１３０からの信号を受信するＲＣＣインタフェースである。電波時計インターフェース回路７２を通じて、長波の標準電波１３２をうけつける。ローカルプロセッサ２０は標準電波１３２に基づき内部時計の時刻を補正するよう構成することができる。
【００４９】
アクセスコントローラ６０は、表示デバイス制御回路３０、ローカルプロセッサ２０及びホストインターフェース回路５０からの表示メモリ４０へアクセスの調停処理を行う。具体的には、アクセスコントローラ６０は、ローカルプロセッサ２０及びホストインターフェース回路５０からの表示メモリ４０への書き込み要求が競合した場合に、いずれか一方に対し表示メモリ４０への書き込みを許可し、他方に対しては一方の書き込みが終了するまで表示メモリ４０への書き込みを不許可とする調停処理を行う。
【００５０】
前記アクセスコントローラ６０は、表示メモリ４０にホストからのデータの書き込みが行われているか否かの状態をしめす書き込みフラグ６４とを有し、表示メモリ４０にホスト１００からのデータの書き込みを行っている場合には、書き込みフラグを第１の状態にする。
【００５１】
そして前記ホストプロセッサ２０は、前記書き込みフラグ６４が第１の状態であるか否か判断し、第１の状態である場合には、表示メモリ４０への書き込み処理をあとに回し、他の処理を行うように制御するにしてもよい。
【００５２】
前記アクセスコントローラ６０は、表示メモリ４０に書き込むデータを一時的に保持するワークバッファ６２を有し、ローカルプロセッサ２０からの書き込み要求とホスト１００からの書き込み要求が競合した場合には、ホスト１００からの書き込み要求を優先して受け付け、ローカルプロセッサ２０からの書き込みデータを一旦ワークバッファ６２に記憶させ、ホスト１００からの書き込み要求に対応した書き込み処理が終了したのち、ワークバッファ６２に書き込まれたデータを表示メモリ４０に書き込む処理を行い、すでにローカルプロセッサ２０が表示メモリ４０への書き込みを行っている場合にホスト１００からの書き込み要求を受けた場合には、ホスト１００からの書き込みデータを一旦ワークバッファに記憶させ、ローカルプロセッサ２０の書き込み処理が終了したのち、ワークバッファ６２に書き込まれたデータを表示メモリ４０に書き込む処理を行うようにしてもよい。
【００５３】
なお表示デバイス制御回路３０は、所定のリフレッシュレートで表示デバイス１１０に表示用データの書き込みを行うので、表示デバイス制御回路３０はリフレッシュレートに応じた所定の間隔て、表示メモリ４０へアクセスすることが必要となる。
【００５４】
そこでアクセスコントローラ６０は、図３に示すようにあらかじめ所定の間隔で表示デバイス制御回路３０の表示メモリへのアクセス期間である表示デバイス制御用アクセス期間Ｌ1、Ｌ２、Ｌ３、・・・・を設定し、表示デバイス制御回路３０は設定された表示デバイス制御用アクセス期間に、表示メモリ４０のデータを読み出すようにしてもよい。
【００５５】
そして表示デバイス制御回路３０は、表示デバイス制御用アクセス期間以外の期間Ｋ１、Ｋ２、Ｋ３について、ホストインターフェース回路５０とローカルプロセッサ２０との間の表示メモリへの書き込みの調停処理を行うようにしてもよい。
【００５６】
またアクセスコントローラ６０は、例えば図４位示すように表示メモリ４０のローカル表示領域３１０に対応した領域については、ホスト１００からの書き込みを禁止、またはローカルプロセッサ２０からの書き込みを優先する処理を行うようにしてもよい。
【００５７】
温度用Ｒ／Ｆコンバータ（温度用抵抗周波数変換型Ａ／Ｄコンバータ）９０は、温度センサ１４０からのアナログ信号１４２を受け取りデジタル温度値を出力する。温度用Ｒ／Ｃコンバータ９０は、ＡＦＥ（アナログフロントエンド回路）を含むようにしてもよい。
【００５８】
湿度用Ｒ／Ｆコンバータ（湿度用抵抗周波数変換型Ａ／Ｄコンバータ）９２は、湿度センサ１５０からのアナログ信号１５２を受け取りデジタル湿度値を出力する。湿度用Ｒ／Ｃコンバータ９２は、ＡＦＥ（アナログフロントエンド回路）を含むようにしてもよい。
【００５９】
加速度用Ａ／Ｄコンバータ９４は、加速度センサ１６０からのアナログ信号１６２を受け取りデジタル加速度値を出力する。加速度用Ａ／Ｄコンバータ９４は、ＡＦＥ（アナログフロントエンド回路）を含むようにしてもよい。
【００６０】
角速度用Ａ／Ｄコンバータ９６は、角速度センサ１７０からのアナログ信号１７２を受け取りデジタル角速度値を出力する。角速度用Ａ／Ｄコンバータ９６は、ＡＦＥ（アナログフロントエンド回路）を含むようにしてもよい。
【００６１】
ホスト１００に対して２つのインターフェース回路５２、５４Ｏが並列にＩ／Ｆしているが、表示インターフェース回路５２がホスト１００からみてＬＣＤドライバーと同等のＩ／Ｆを提供する部分で、アクセスコントローラ６０をへて表示メモリ４０にアクセスする。
【００６２】
この場合ローカルプロセッサ２０のプログラムとは並行動作が可能である。時刻インターフェース回路５４は、ホスト１００からローカルプロセッサ２０内のプログラムと通信するためのものであり、この経路からは直接表示メモリ４０へはアクセスできず、ローカルプロセッサプログラムを通じてアクセスコントローラ６０を介して表示メモリにアクセスする。
【００６３】
ローカルプロセッサ２０により時刻、温度表示をする場合は、この経路でローカルプロセッサ２０は自律的に時刻等を表示できる。
【００６４】
本実施の形態によればホスト１００からの操作性を損なわず、しかし独立して時計および温度計などとして自律動作できるサブシステムを提供することができる。
【００６５】
またローカルプロセッサがスタンドアロン機能として、電波時計、ストップウオッチ機能、歩数計機能、温度計機能、湿度計機能等を実現し、ホストが停止状態でも背面パネルをつかって計時計測表示が可能とすることもできる。
【００６６】
なお前記ホストインターフェース回路は、例えば図２に示すように、ホスト１００からの表示用信号を受けとり表示用メモリに書き込む処理を行うための表示インターフェース回路５２と、ホストからの要求に応じて内部時計時刻の時刻信号をホストに渡す処理を行う時刻インターフェース回路５４とを、含むように構成してもよい。
【００６７】
このようにすると表示インターフェース回路５２と、時刻インターフェース回路５４とが物理的に別個に設けられているので、ホスト１００側からみれば従来のように従来どおりのＬＣＤドライバのようにＩ／Ｆし使用することも可能であり、また実時間時計デバイスのようにも見て、その時刻データ等を読み出すことも可能である。従って表示用ドライバ内蔵チップとＲＴＣ内蔵チップと別々にインターフェースしていたときと同じ使い勝手で使用することができる。
【００６８】
図５（Ａ）（Ｂ）は補正用の基準時刻の取得形態について説明するための図である。
【００６９】
図５（Ａ）に示すように、ホストがＧＰＳ−ＩＣ１９０に接続されＧＰＳ−ＩＣ１９０から基準時刻を取得し、集積回路装置（背面パネル用マイコン）１０は、所定のタイミングでホストから基準時刻を取得し、基準時刻に基づき内部時計（ＲＴＣ機能により実現される）７０の時刻を補正するような構成としてもよい。
【００７０】
また図５（Ｂ）に示すように、集積回路装置（背面パネル用マイコン）１０は電波時計とのインターフェース回路（ＲＣＣＩ／Ｆ）７２をさらに含み、所定のタイミングで電波時計インターフェース回路（ＲＣＣＩ／Ｆ）７２を介して電波時計（ＲＣＣ−ＲＦＩＣ）１３０の時刻を取得し、電波時計時刻に基づき内部時計（ＲＴＣ機能により実現される）７０の時刻を補正するようにしてもよい。
【００７１】
図６は、本実施の形態の温度用Ｒ／Ｆコンバータの一例を示す回路図である。
【００７２】
図７は、本実施の形態の湿度用Ｒ／Ｆコンバータの一例を示す回路図である。
【００７３】
図８は、本実施の形態の調停処理の流れを示すフローチャートである。
【００７４】
表示メモリにホストからのデータの書き込みが行なわれている場合には、書き込みフラグを第１の状態にセットする（ステップＳ１０、Ｓ２０）。
【００７５】
表示メモリにローカルプロセッサからのデータの書き込みが行なわれている場合にホストからの書き込み要求を受けたか場合には、ホストからの書き込みデータを一旦ワークバッファに記憶させ、ローカルプロセッサの書き込み処理が終了したのち、ワークバッファに書き  込まれたデータを表示メモリに書き込む（ステップＳ３０、Ｓ４０、Ｓ５０）。
【００７６】
書き込み要求が競合した場合には、ホストからの書き込み要求を優先して受け付け、ローカルプロセッサからの書き込みデータを一旦ワークバッファに記憶させ、ホストからの書き込み要求に対応した書き込み処理が終了したのち、ワークバッファに書き込まれたデータを表示メモリに書き込む処理を行う（ステップＳ６０、Ｓ７０）。
【００７７】
なお、本発明は本実施形態に限定されず、本発明の要旨の範囲内で種々の変形実施が可能である。
【図面の簡単な説明】
【００７８】
【図１】本実施の形態の集積回路装置の構成を説明するための図。
【図２】本実施の形態の集積回路装置の他の構成を説明するための図。
【図３】表示メモリへのアクセスの調停について説明するための図。
【図４】ローカル表示領域について説明するための図
【図５】補正用の基準時刻の取得形態について説明するための図。
【図６】本実施の形態の温度用Ｒ／Ｃコンバータの一例を示す回路図で。
【図７】本実施の形態の湿度用Ｒ／Ｃコンバータの一例を示す回路図。
【図８】本実施の形態の調停処理の流れを示すフローチャート。
【符号の説明】
【００７９】
１０  集積回路装置、２０  ローカルプロセッサ、３０  表示デバイス制御回路，４０  表示メモリ、５０  ホストインターフェース回路、５２  表示Ｉ／Ｆ回路、５４  時刻Ｉ／Ｆ回路、６０  アクセスコントローラ、６２  ワークバッファ、６４  書き込みフラグ、７０  時刻用クロック生成回路、７２  電波時計インターフェース回路、８０  ＲＯＭ，８２  ＲＡＭ、９０  温度用抵抗周波数変換型Ａ／Ｄコンバータ、９２  湿度用抵抗周波数変換型Ａ／Ｄコンバータ、９４  加速度用Ａ／Ｄコンバータ、９６  角速度用Ａ／Ｄコンバータ９６、１００  ホスト、１１０  表示デバイス、１２０  クリスタル、１３０  電波時計、１３４  アンテナ、１４０  温度センサ、１５０  湿度センサ、１６０  加速度センサ、１７０  角速度センサ
【図１】
2007051972.tif 000003
【図２】
2007051972.tif 000004
【図３】
2007051972.tif 000005
【図４】
2007051972.tif 000006
【図５】
2007051972.tif 000007
【図６】
2007051972.tif 000008
【図７】
2007051972.tif 000009
【図８】
2007051972.tif 000010